(57)【要約】【課題】レンズやアダプタの突出部品とボディマウントの回動環との干渉を回避することが可能な撮像装置、およびこの撮像装置を備えた撮像システムを提供する。【解決手段】ボディと、前記ボディに設けられたスピゴット式のボディマウントとを備え、前記ボディマウントは、固定環と、前記固定環に対して光軸の周りに回動可能であると共に、周方向の一部に切欠き部分を有する回動環とを有する撮像装置。【選択図】図４
2015141382.tif 000002
【特許請求の範囲】
【請求項１】
ボディと、前記ボディに設けられたスピゴット式のボディマウントとを有し、
前記ボディマウントは、
固定環と、
前記固定環に対して光軸の周りに回動可能であると共に、周方向の一部に切欠き部分を有する回動環と
を備えた撮像装置。
【請求項２】
前記回動環は、初期位置と締結位置との間で回動可能であると共に、前記初期位置における前記切欠き部分の範囲と前記締結位置における前記切欠き部分の範囲とが重複する開放領域を有する
請求項１記載の撮像装置。
【請求項３】
前記開放領域は、前記回動環の前記光軸よりも下側の領域内に設けられている
請求項２記載の撮像装置。
【請求項４】
前記切欠き部分の前記光軸を中心とする中心角は、１８０°以下である
請求項１記載の撮像装置。
【請求項５】
前記ボディマウントは、対象物を前記固定環との間に挟み込む爪を有する保持環を更に備え、
前記回動環は、前記保持環と一緒に回動可能であり、
前記切欠き部分の光軸方向における高さは、前記保持環の光軸方向における高さと同じまたはほぼ同じである
請求項１記載の撮像装置。
【請求項６】
前記ボディは、前記ボディマウントの内周側にボディ接点を有し、
前記回動環は、初期位置と締結位置との間で回動可能であり、
前記初期位置における前記切欠き部分の範囲と、前記ボディ接点の少なくとも一部とは、前記光軸に対する回転方向の位置が異なる
請求項１記載の撮像装置。
【請求項７】
前記ボディは、前記ボディマウントの内周側にボディ接点を有し、
前記回動環は、初期位置と締結位置との間で回動可能であり、
前記締結位置における前記切欠き部分の範囲と、前記ボディ接点の少なくとも一部とは、前記光軸に対する回転方向の位置が異なる
請求項１記載の撮像装置。
【請求項８】
撮像装置と、前記撮像装置に着脱可能なレンズとを有し、
前記撮像装置は、ボディと、前記ボディに設けられたスピゴット式のボディマウントとを有し、
前記ボディマウントは、
固定環と、
前記固定環に対して光軸の周りに回動可能であると共に、周方向の一部に切欠き部分を有する回動環と
を備えた撮像システム。
【請求項９】
前記回動環は、初期位置と締結位置との間で回動可能であると共に、前記初期位置における前記切欠き部分の範囲と前記締結位置における前記切欠き部分の範囲とが重複する開放領域を有する
請求項８記載の撮像システム。
【請求項１０】
前記レンズは、レンズ本体と、前記レンズ本体から前記光軸に対して径方向の外側に突出する突出部品を有し、
前記突出部品は、前記光軸を中心とする周方向において前記開放領域に対応する領域内に設けられている
請求項９記載の撮像システム。
【請求項１１】
前記撮像装置と前記レンズとを結合するアダプタを更に備え、
前記アダプタは、アダプタ本体と、前記アダプタ本体から光軸に対して径方向の外側に突出する突出部品を有し、
前記突出部品は、前記光軸を中心とする周方向において前記開放領域に対応する領域内に設けられている
請求項９記載の撮像システム。
【請求項１２】
前記ボディは、前方正面から見て前記ボディマウントの外周側の領域に操作部を有し、
前記回動環は、前記切欠き部分以外の立ち壁部分を有し、
前記回動環が前記締結位置にある場合に、前記切欠き部分および前記操作部は、前記ボディマウントの側面側から前記突出部品にアクセス可能な間隙を形成する
請求項１１記載の撮像システム。
【請求項１３】
前記固定環は、第１基準面を有し、
前記アダプタは、前記固定環の前記第１基準面に装着される装着面と、前記レンズが装着される第２基準面とを有し、前記第２基準面は、光軸方向において前記装着面よりも前記ボディ側に位置する
請求項１１記載の撮像システム。
【発明の詳細な説明】
【技術分野】
【０００１】
本開示は、レンズ交換式カメラなどの撮像装置、およびこの撮像装置を含む撮像システムに関する。
【背景技術】
【０００２】
レンズ交換可能なカメラでは、ボディにはボディマウント、レンズにはレンズマウントと呼ばれる開口がそれぞれ設けられており、両者の結合によりレンズをボディに装着する。ボディマウントとレンズマウントとの結合方式の一つに、スピゴット式がある。スピゴット式は、ボディマウントの開口にレンズやアダプタなどの装着したい対象物を嵌め込み、ボディマウントに設けられたリング（回動環）を回して対象物を締め付けて固定するものである（例えば特許文献１参照。）。
【先行技術文献】
【特許文献】
【０００３】
【特許文献１】特開平８−２２０６１７号公報
【発明の概要】
【発明が解決しようとする課題】
【０００４】
レンズまたはアダプタは概ね円筒形状の本体を有しているが、本体から光軸に対して径方向の外側に突出する突出部品が付加されている場合がある。そのようなレンズまたはアダプタでは、突出部品とボディマウントの回動環との干渉が生じる可能性があった。
【０００５】
本開示はかかる問題点に鑑みてなされたもので、その目的は、レンズやアダプタの突出部品とボディマウントの回動環との干渉を回避することが可能な撮像装置、およびこの撮像装置を備えた撮像システムを提供することにある。
【課題を解決するための手段】
【０００６】
本開示による撮像装置は、ボディと、ボディに設けられたスピゴット式のボディマウントとを有し、ボディマウントは、固定環と、固定環に対して光軸の周りに回動可能であると共に、周方向の一部に切欠き部分を有する回動環とを備えたものである。
【０００７】
本開示による撮像システムは、撮像装置と、撮像装置に着脱可能なレンズとを有し、撮像装置は、上記本開示による撮像装置により構成されているものである。
【０００８】
本開示の撮像装置、または本開示の撮像システムでは、ボディマウントの回動環の周方向の一部に切欠き部分が設けられているので、レンズやアダプタから光軸に対して径方向の外側に突出する突出部品とボディマウントの回動環との干渉が回避される。
【発明の効果】
【０００９】
本開示の撮像装置、または本開示の撮像システムによれば、ボディマウントの回動環の周方向の一部に切欠き部分を設けるようにしたので、レンズやアダプタの突出部品とボディマウントの回動環との干渉を回避することが可能となる。なお、ここに記載された効果は必ずしも限定されるものではなく、本開示中に記載されたいずれの効果であってもよい。
【図面の簡単な説明】
【００１０】
【図１】本開示の一実施の形態に係る撮像システムの外観を表す右側面図である。
【図２】図１に示した撮像装置の外観を表す右側面図である。
【図３】図２に示した撮像装置を前方正面から見た外観を表す正面図である。
【図４】図３に示したボディマウントを、外装部材から取り出して、右斜め上方から見た構成を表す斜視図である。
【図５】図４に示した回動環が初期位置にある状態を表す正面図である。
【図６】図４に示した回動環が締結位置にある状態を表す正面図である。
【図７】図４に示したボディマウントに、フランジバック調整機構をもつアダプタを取り付けた状態を右斜め下方から見た構成を表す斜視図であり、図４に示した回動環が初期位置にある状態を表す斜視図である。
【図８】図４に示したボディマウントに、フランジバック調整機構をもつアダプタを取り付けた状態を右斜め下方から見た構成を表す斜視図であり、図４に示した回動環が締結位置にある状態を表す斜視図である。
【図９】図８に示したボディマウントおよびアダプタの右側面図である。
【図１０】変形例１に係る撮像システムの一部を表す斜視図であり、ボディマウントに、位相差検出式ＡＦ（オートフォーカス）センサを有するアダプタを装着した状態を右斜め下方から見た構成を表す斜視図である。
【図１１】変形例２に係る撮像システムの一部を表す斜視図であり、ボディマウントに、アダプタを介して、電動ズーム機構を有するレンズを装着した状態を右斜め下方から見た構成を表す斜視図である。
【図１２】図１１に示したボディマウントを、外装部材から取り出して、右斜め上方から見た構成を表す斜視図である。
【図１３】図１１に示したアダプタの正面図、およびこの正面図のＸＩＩＩＢ−ＸＩＩＩＢ線における断面図である。
【図１４】図１３に示したアダプタの背面図である。
【図１５】図１３に示したアダプタを図１２に示したボディマウントに装着した状態を表す正面図である。
【図１６】変形例３に係るアダプタの正面図、およびこの正面図のＸＶＩＢ−ＸＶＩＢ線における断面図である。
【図１７】図１６に示したアダプタの背面図である。
【図１８】図１６に示したアダプタを図１２に示したボディマウントに装着した状態において、アダプタの着脱レバーが初期位置にある状態を表す正面図である。
【図１９】図１６に示したアダプタを図１２に示したボディマウントに装着した状態において、アダプタの着脱レバーが締結位置にある状態を表す正面図である。
【図２０】変形例４に係るボディマウントを前方正面から見た構成を表す正面図である。
【図２１】変形例５に係るボディマウントを前方正面から見た構成を表す正面図である。
【図２２】変形例６に係るボディマウントを前方正面から見た構成を表す正面図である。
【図２３】変形例７に係るボディマウントを前方正面から見た構成を表す正面図である。
【発明を実施するための形態】
【００１１】
以下、本開示の実施の形態について図面を参照して詳細に説明する。なお、説明は以下の順序で行う。
１．実施の形態（ボディマウントに、フランジバック調整機構をもつアダプタを装着する例）
２．変形例１（上記実施の形態において、ボディマウントに、位相差検出式ＡＦセンサを有するアダプタを装着する例）
３．変形例２（ボディマウントに、ボディ固有のフランジバックよりも短いフランジバックをもつバヨネット式のアダプタを介して、電動ズーム機構を有するレンズを装着する例）
４．変形例３（変形例２において、アダプタがスピゴット式である例）
５．変形例４（ボディマウントを前方正面から見て、第１ボディ接点が上方および右方、第２ボディ接点が上方に配置されている例）
６．変形例５（ボディマウントを前方正面から見て、第１ボディ接点が上方および右方、第２ボディ接点が左方に配置されている例）
７．変形例６（ボディマウントを前方正面から見て、第１ボディ接点が上方および右方、第２ボディ接点が左斜め下方に配置されている例）
８．変形例７（ボディマウントを前方正面から見て、第１ボディ接点が左方、第２ボディ接点が上方に配置されている例）
【００１２】
（実施の形態）
図１は、本開示の一実施の形態に係る撮像システム１００を右側面側から見た外観を表したものである。この撮像システム１００は、例えばシネマ撮影用のカメラシステムであり、撮像装置１と、この撮像装置１に着脱可能なレンズ２とを有している。撮像装置１とレンズ２とは、例えば、アダプタ３を介して結合されている。なお、レンズ２は、図１に示したようにアダプタ３を介して撮像装置１に装着されるものもあるが、アダプタ３を介さずに撮像装置１に直接装着されるものもある。
【００１３】
図２は、図１に示した撮像装置１を右側面側から見た外観を表したものである。図３は、図２に示した撮像装置１を前方正面から見た外観を表したものである。この撮像装置１は、例えばシネマ撮影用カメラであり、ボディ１０の最前部に、ボディマウント２０を有している。ボディ１０は、外装部材１４を有し、この外装部材１４に撮像素子（図示せず）が内蔵されている。外装部材１４の各面には、録画スタート釦１４Ａ、メニュー選択釦１４Ｂ、サイドパネル１４Ｃのほか、各種の操作釦や調整釦、ビューファインダー等のアクセサリー装着部、外部メモリ収納部、ＵＳＢ接続部、バッテリー接続部などが適宜設けられている。
【００１４】
ボディマウント２０は、レンズ２またはアダプタ３（図１参照。）とボディ１０との接続部となるものである。ボディマウント２０は、図３に示したように、ボディ１０の外装部材１４の前面中央上部に、光軸Ａを中心とする環状に設けられている。ボディマウント２０の内側の中央には、光学部品１３が設けられている。この光学部品１３の奥（光軸方向における後方）には、撮像素子（図示せず）が配置されている。ボディマウント２０の内側の、光学部品１３の周囲の領域には、ボディ接点４１が設けられている。また、ボディ１０の外装部材１４の前面右下部には、操作ダイヤル１５が設けられている。この操作ダイヤル１５は、光学部品１３と撮像素子との間に配置されるＮＤフィルタ（減光フィルタ）等の光学部品をユーザが切り替えるための操作部である。なお、操作ダイヤル１５は、本実施の形態のような回転式（ダイヤル式）のものに限定されず、例えば操作釦などの押すタイプのものでもよい。
【００１５】
以下の説明および図面において、Ｚは光軸方向を表す。光軸Ａはレンズ２、光学部品１３、および撮像素子（図示せず）の中心を通る線である。光軸方向Ｚにおいてレンズ２側を前方、ボディ１０側を後方とする。Ｘはボディマウント２０を前方正面から見て左右方向、Ｙはボディマウント２０を前方正面から見て上下方向を表す。
【００１６】
図４は、図３に示したボディマウント２０を、外装部材１４から取り出して、右斜め上方から見た構成を表したものである。ボディマウント２０は、ボディ１０の前面に設けられたシャーシ部材１６に取り付けられている。ボディマウント２０は、シャーシ部材１６の左方から上方にかけての領域を占めている。シャーシ部材１６は、ボディマウント２０の下方および右下方に、収納部１６Ａを有している。この収納部１６Ａには、例えば３枚〜４枚の上述したＮＤフィルタ等の光学部品を保持するターレット（図示せず）が収容されている。収納部１６Ａの右斜め下には、上述した操作ダイヤル１５が設けられており、ユーザが操作ダイヤル１５を回すことによりターレットが回転してＮＤフィルタ等の光学部品が切り替わるようになっている。  
【００１７】
光学部品１３は、例えば撮像素子の保護機能および適宜の光学的機能を有するガラス板の部材である。光学部品１３は、例えば一方向に長い矩形の形状を有し、ボディマウント２０で囲まれた円形の領域の中央に横長に配置されている。なお、撮像素子も光学部品１３と同様に横長に配置されていることはいうまでもない。光学部品１３は、光学部品支持部材１７に支持されている。光学部品支持部材１７は、ねじ１７Ａ，１７Ｂ（ねじ１７Ｂは図４には図示せず、図５参照。）によりシャーシ部材１６に固定されている。
【００１８】
ボディ接点４１は、レンズ２とボディ１０との電気的な接続および通信を行うものである。ボディ接点４１は、例えば、ボディ１０からボディ１０に取り付けられるレンズ２へ電源供給を行う接点と、ボディ１０からレンズ２へレンズ２を駆動するための駆動信号を供給する接点とを少なくとも含む接点の集合である。
【００１９】
ボディ接点４１は、ボディマウント２０を前方正面から見て、光軸Ａを中心とする周方向において例えば左方に配置されている。換言すれば、ボディ接点４１は、光学部品１３の左側の短辺に沿って円弧状に配置されている。ボディ接点４１は、ボディ接点支持部材４１Ａにより支持されている。ボディ接点支持部材４１Ａは、ねじ４１Ｂ，４１Ｃにより、シャーシ部材１６に固定され、支持されている。
【００２０】
ボディマウント２０は、レンズ２またはアダプタ３の装着方法としてスピゴット方式を採用しており、例えば、内周側から順に固定環２１、保持環２２および回動環２３を有している。ボディマウント２０にスピゴット方式を採用することにより、シネマ撮影用の大型・大重量のレンズ２等をボディ１０に堅牢に締結することが可能となり、信頼性が高まる。また、レンズ２等を回転させずに脱着が可能であることも利点である。
【００２１】
固定環２１は、レンズ２の後端部またはアダプタ３が着座する部分であり、第１基準面Ｐ１を有している。第１基準面Ｐ１は、レンズ２の後端部またはアダプタ３が装着される面である。第１基準面Ｐ１と撮像面（図示せず）との光軸方向Ｚにおける距離が、ボディ１０に固有のフランジバックとなる。
【００２２】
保持環２２は、レンズ２の後端部またはアダプタ３を保持する部分である。保持環２２は、周方向の３箇所（図５参照。）に爪２２Ａを有している。爪２２Ａは、固定環２１の第１基準面Ｐ１の上方に張り出しており、第１基準面Ｐ１と爪２２Ａとの間にレンズ２の後端部またはアダプタ３を挟み込んで保持することが可能となっている。なお、図４では、３箇所の爪２２Ａのうち左斜め下方のものだけが見えている。
【００２３】
回動環２３は、保持環２２と一緒に光軸Ａの周りで回動することによりレンズ２またはアダプタ３とボディマウント２０とを締結・固定するものである。回動環２３の外側面には、使用者が回動環２３を握って回しやすいように、凹凸の滑り止め２３Ａが設けられていることが好ましい。
【００２４】
回動環２３は、周方向の一部に、切欠き部分２３Ｂを有している。切欠き部分２３Ｂは、回動環２３の周方向の一部において、切欠き部分２３Ｂの光軸方向Ｚにおける高さＨ２３Ｂを、切欠き部分２３Ｂ以外の立ち壁部分２３Ｃの高さＨ２３Ｃよりも低くしたものである。これにより、この撮像装置１および撮像システム１００では、レンズ２やアダプタ３から光軸Ａに対して径方向の外側に突出する突出部品とボディマウント２０の回動環２３との干渉を回避することが可能となっている。
【００２５】
図５は、図４に示した回動環２３が初期位置ＰＩ２３にある状態、すなわちロック解除状態を表したものである。このとき、回動環２３の切欠き部分２３Ｂの範囲ＲＵＬは、周方向において例えば凡そ左斜め下方から右斜め上方までの領域を占めている。
【００２６】
図６は、図４に示した回動環２３が締結位置ＰＴ２３にある状態、すなわちロック状態を表したものである。このとき、回動環２３の切欠き部分２３Ｂの範囲ＲＬは、周方向において例えば凡そ左方から右斜め下方までの領域を占めている。
【００２７】
回動環２３は、図５に示した初期位置ＰＩ２３と、図６に示した締結位置ＰＴ２３との間の可動範囲Ｒ２３（図６参照。）内で回動可能である。また、回動環２３は、開放領域ＲＯを有していることが好ましい。開放領域ＲＯは、初期位置ＰＩ２３における切欠き部分２３Ｂの範囲ＲＵＬと、締結位置ＰＴ２３における切欠き部分２３の範囲ＲＬとが重複する領域である。つまり、開放領域ＲＯは、回動環２３のストロークに依存することなく、レンズ２またはアダプタ３の着脱の前後を通じて切欠き部分２３Ｂによって占められている。よって、この開放領域ＲＯ内に、レンズ２やアダプタ３から光軸Ａに対して径方向の外側に突出する突出部品を配置するようにすれば、それら突出部品とボディマウント２０の回動環２３との干渉をより確実に回避することが可能となる。
【００２８】
開放領域ＲＯは、例えば、ボディ１０を前方正面から見て、回動環２３の光軸Ａよりも下側の領域ＡＬ内に設けられていることが好ましい。レンズ２やアダプタ３の突出部品は、多くの場合、レンズ２やアダプタ３の下側に設けられているからである。より好ましくは、開放領域ＲＯは、例えば図５および図６に示したように、ボディ１０を前方正面から見て、光軸Ａを中心とする周方向における下方に設けられていることが好ましい。
【００２９】
切欠き部分２３Ｂの光軸Ａを中心とする中心角θは、図５および図６に示したように、１８０°以下であることが好ましい。言い換えれば、回動環２３は、切欠き部分２３Ｂ以外の立ち壁部分２３Ｃを有し、立ち壁部分２３Ｃの光軸Ａを中心とする中心角αが１８０°より大きいことが好ましい。これにより、ユーザが手で立ち壁部分２３Ｃを握って回しやすくなり、着脱の操作性が損なわれるおそれが小さくなる。なお、凹凸の滑り止め２３Ａは、立ち壁部分２３Ｃのみに設けてもよいし、立ち壁部分２３Ｃおよび切欠き部分２３Ｂの両方に設けられていてもよい。
【００３０】
切欠き部分２３Ｂの光軸方向Ｚにおける高さＨ２３Ｂは、図４に示したように、例えば保持環２２の光軸方向Ｚにおける高さＨ２２と同じまたはほぼ同じ（幾何学的に同じ高さでなくても、実質的に同じ高さといえる程度）であることが好ましい。言い換えれば、切欠部分２３Ｂと保持環２２とが面一またはほぼ面一（幾何学的な同一面をなしていなくても実質的に同一面といえる程度）となっていることが好ましい。切欠き部分２３Ｂの高さＨ２３Ｂが保持環２２の高さＨ２２よりも高くなると、レンズ２やアダプタ３の突出部品と切欠き部分２３Ｂとの干渉を回避する効果が薄れる。一方、切欠き部分２３Ｂの高さＨ２３Ｂが保持環２２の高さＨ２２よりも低くなると、切欠き部分２３Ｂの強度低下のおそれがある。なお、保持環２２の光軸方向Ｚにおける高さＨ２２は、爪２２Ａの強度を確保可能な値とされていることが好ましい。立ち壁部分２３Ｃの光軸方向Ｚにおける高さＨ２３Ｃについては、レンズ２やアダプタ３との干渉を回避するための上限の規格が定められているが、それを除いては特に限定されない。
【００３１】
立ち壁部分２３Ｃの端部２３Ｄには、図４に示したように、テーパ面２３Ｅが設けられていることが好ましい。これにより、立ち壁部分２３Ｃの端部２３Ｄの立ち上がり形状をなだらかにし、安全性を高めることが可能となる。
【００３２】
更に、図５に示したように、初期位置ＰＩ２３における切欠き部分２３Ｂの範囲ＲＵＬと、ボディ接点４１の少なくとも一部とは、光軸Ａに対する回転方向の位置が異なることが好ましい。すなわち、図５において、ボディ接点４１は光学部品１３（撮像素子）の左側に設けられているが、切欠き部分２３Ｂは右下側に位置している。回転環２３のボディ接点４１に沿う部分は切り欠かれていないので、ユーザが誤って触れてしまうことでボディ接点４１を汚してしまう虞が少なくなり、ボディ接点４１を清浄に保持することが可能となる。
【００３３】
なお、図５では、初期位置ＰＩ２３における切欠き部分２３Ｂの範囲ＲＵＬと、ボディ接点４１の全部とが、光軸Ａに対する回転方向において異なる位置にある場合を表している。しかしながら、初期位置ＰＩ２３における切欠き部分２３Ｂの範囲ＲＵＬは、ボディ接点４１の一部と、光軸Ａに対する回転方向において異なる位置にあれば足りる。
【００３４】
一方、図６に示したように、締結位置ＰＴ２３における切欠き部分２３Ｂの範囲ＲＬと、ボディ接点４１の少なくとも一部とは、光軸Ａに対する回転方向の位置が異なることが好ましい。つまり、図６において、ボディ接点４１は光学部品１３（撮像素子）の左側に設けられているが、切欠き部分２３Ｂは下側（少し左に寄った下側）に位置している。回転環２３のボディ接点４１に沿う部分は切り欠かれていないので、ユーザが誤って触れてしまうことでボディ接点４１を汚してしまう虞が少なくなり、ボディ接点４１を清浄に保持することが可能となる。
【００３５】
なお、図６では、初期位置ＰＩ２３における切欠き部分２３Ｂの範囲ＲＵＬと、ボディ接点４１の一部とが、光軸Ａに対する回転方向において異なる位置にある場合を表している。しかしながら、初期位置ＰＩ２３における切欠き部分２３Ｂの範囲ＲＵＬは、ボディ接点４１の全部と、光軸Ａに対する回転方向において異なる位置にあることも可能である。
【００３６】
図７および図８は、図４に示したボディマウント２０に、図１に示したアダプタ３を取り付けた状態を右斜め下方から見た構成を表したものである。図７では回動環２３が初期位置ＰＩ２３にある状態を、図８では回動環２３が締結位置ＰＴ２３にある状態を、それぞれ表している。
【００３７】
アダプタ３は、撮像装置１のボディマウント２０を、シネマ業界標準であるＰＬマウントに変換するものであり、円筒形状のアダプタ本体５１を有している。アダプタ３は、スピゴット式によりボディマウント２０に装着可能であり、外周側にボディマウント２０への装着のための外爪（図示せず）を有している。また、アダプタ３は、スピゴット式によりレンズ２を装着可能であり、レンズ２が装着される第２基準面Ｐ２と、内周側の内爪５２と、締結部５３とを有している。締結部５３は、光軸Ａの周りに回動することによりレンズ２を第２基準面Ｐ２に着脱可能に固定するものである。第２基準面Ｐ２には、アダプタ接点５４が設けられている。アダプタ接点５４は、ボディマウント２０を前方正面から見て光軸Ａを中心とする周方向において上方および右方に配置されている。アダプタ接点５４は、アダプタ本体５１の内部に通された配線（図示せず）を介して、ボディ接点４１に接続される。
【００３８】
更に、アダプタ３は、フランジバック調整機構（図示せず）を有している。フランジバック調整機構の一部を構成するフランジバック調整つまみ５５が、アダプタ本体５１から光軸Ａに対して径方向の外側に突出している。フランジバック調整つまみ５５は、本開示における「突出部品」の一具体例に対応する。
【００３９】
図９は、図８に示したボディマウント２０およびアダプタ３を右側面側から見た構成を表したものである。図９に示したように、回動環２３が締結位置ＰＴ２３にある場合に、切欠き部分２３Ｂおよび操作ダイヤル１５は、ボディマウント２０の側面側からフランジバック調整つまみ５５にアクセス可能な間隙Ｇを形成することが好ましい。これにより、図８の矢印ＡＧに示したように、アダプタ３の右側面からフランジバック調整のツール（図示しないレンチ等）を隙間Ｇに差し込み、フランジバック調整つまみ５５にアクセス可能となる。
【００４０】
この撮像システム１００では、例えば次のようにしてアダプタ３およびレンズ２の撮像装置１への取り付けを行うことができる。
【００４１】
まず、回動環２３を図５に示した初期位置ＰＩ２３として（ロック解除状態）、アダプタ３の外周側の外爪（図示せず）を、ボディマウント２０の保持環２２の爪２２Ａの間に嵌め込む。次いで、回動環２３を締める方向に回動させて、図６に示した締結位置ＰＴ２３とする（ロック状態）。これにより、ボディマウント２０の爪２２Ａと第１基準面Ｐ１との間にアダプタ３の外爪を挟み込み、アダプタ３をボディマウント２０の第１基準面Ｐ１に装着して固定する。
【００４２】
ここでは、ボディマウント２０の回動環２３の周方向の一部に切欠き部分２３Ｂが設けられているので、アダプタ３から光軸Ａに対して径方向の外側に突出するフランジバック調整つまみ５５とボディマウント２０の回動環２３との干渉が回避される。
【００４３】
また、図９に示したように、回動環２３が締結位置ＰＴ２３にある場合に、切欠き部分２３Ｂおよび操作ダイヤル１５は、ボディマウント２０の側面側からフランジバック調整つまみ５５にアクセス可能な間隙Ｇを形成する。よって、ユーザがフランジバックを調整したい場合には、図８の矢印ＡＧに示したように、アダプタ３の右側面からフランジバック調整のツール（図示しないレンチ等）を隙間Ｇに差し込み、フランジバック調整つまみ５５にアクセス可能となる。
【００４４】
続いて、レンズ２の後端部の爪（図示せず）をアダプタ３の内周側の内爪５２の間に嵌め込み、アダプタ３の締結部５３を締める方向に回動させる。これにより、アダプタ３の内爪５２と第２基準面Ｐ２との間にレンズ２の後端部の爪を挟み込み、レンズ２をアダプタ３の第２基準面Ｐ２に装着して固定する。
【００４５】
このように本実施の形態では、ボディマウント２０の回動環２３の周方向の一部に切欠き部分２３Ｂを設けるようにしたので、レンズ２やアダプタ３の突出部品、例えばフランジバック調整つまみ５５とボディマウント２０の回動環２３との干渉を回避することが可能となる。これにより、スピゴット式の堅牢な締結という利点を維持しながら、ボディマウント２０の規格外のレンズ２やアダプタ３を取り付けるための空間を確保することが可能となる。従って、より多くの種類のレンズ２やアダプタ３をボディマウント２０に装着して使用することが可能となり、レンズ２やアダプタ３とボディ１０との互換性を高めることが可能となる。
【００４６】
また、回動環２３に開放領域ＲＯを設け、この開放領域ＲＯでは、初期位置ＰＩ２３における切欠き部分２３Ｂの範囲ＲＵＬと、締結位置ＰＴ２３における切欠き部分２３の範囲ＲＬとが重複するようにしている。よって、開放領域ＲＯは、回動環２３のストロークに依存することなく、レンズ２やアダプタ３の着脱の前後を通じて切欠き部分２３Ｂによって占められる。これにより、レンズ２やアダプタ３の突出部品とボディマウント２０の回動環２３との干渉を確実に回避することが可能となる。
【００４７】
更に、開放領域ＲＯを、ボディ１０を前方正面から見て、回動環２３の光軸Ａよりも下側の領域ＡＬ内に設けるようにしている。よって、レンズ２やアダプタ３の突出部品とボディマウント２０の回動環２３との干渉を確実に回避することが可能となる。
【００４８】
（変形例１，２）
なお、上記実施の形態では、レンズ２やアダプタ３の突出部品として、アダプタ３のフランジバック調整つまみ５５を例に挙げて説明した。以下の変形例（変形例１，２）では、突出部品の他の例について説明する。
【００４９】
（変形例１）
図１０は、変形例１に係る撮像システム１００の一部を表したものであり、図４に示したボディマウント２０に、突出部品として位相差検出式ＡＦ（オートフォーカス）センサ６１を有するアダプタ３Ａを装着した状態を右斜め下方から見た構成を表している。なお、図１０ではボディマウント２０を外装部材１４から取り出した状態で表している。
【００５０】
アダプタ３Ａは、撮像装置１のボディマウント２０を、一眼レフカメラ用のレンズ（図示せず）を装着可能なマウントに変換するものであり、円筒形状のアダプタ本体５１を有している。アダプタ３Ａは、スピゴット式によりボディマウント２０に装着可能であり、外周部にボディマウント２０への装着のための外爪（図示せず）を有している。
【００５１】
また、アダプタ３Ａは、光軸Ａを中心とする周方向において下方に、位相差検出式ＡＦセンサ６１を有している。位相差検出式ＡＦセンサ６１は、光学的な観点から、アダプタ本体５１から光軸Ａに対して径方向の外側に突出した形で設けられている。また、位相差検出式ＡＦセンサ６１は、光軸Ａを中心とする周方向において開放領域ＲＯに対応する領域内に設けられている。
【００５２】
本変形例では、ボディマウント２０の回動環２３の周方向の一部に切欠き部分２３Ｂが設けられているので、アダプタ３Ａの突出部品、例えば位相差検出式ＡＦセンサ６１とボディマウント２０の回動環２３との干渉が回避される。また、アダプタ３Ａの下側に空間の余裕を作り、アダプタ３Ａ側にＡＦセンサ６１を配置することが可能となり、アダプタ３Ａに様々な機能の追加を行うことが可能となる。
【００５３】
（変形例２）
図１１は、変形例２に係る撮像システム１００の一部を表したものであり、ボディマウント２０に、アダプタ３Ｂを介して、突出部品として電動ズーム機構６２を有するレンズ２Ｂを装着した状態を右斜め下方から見た構成を表したものである。なお、図１１ではボディマウント２０を外装部材１４から取り出した状態で表している。
【００５４】
レンズ２Ｂは、例えばミラーレスカメラ用のレンズであり、円筒形状のレンズ本体６１を有している。また、レンズ２Ｂは、光軸Ａを中心とする周方向において下方に、電動ズーム機構６２を有している。電動ズーム機構６２は、レンズ本体６１から光軸Ａに対して径方向の外側に突出した形で設けられている。また、電動ズーム機構６２は、光軸Ａを中心とする周方向において開放領域ＲＯに対応する領域内に設けられている。
【００５５】
本変形例では、ボディマウント２０の回動環２３の周方向の一部に切欠き部分２３Ｂが設けられているので、レンズ２Ｂの突出部品、例えば電動ズーム機構６２とボディマウント２０の回動環２３との干渉が回避される。
【００５６】
なお、図示しないが、レンズ２Ｂ側に設けられる三脚固定部材などについても、電動ズーム機構６２と同様に、回動環２３の周方向の一部に切欠き部分２３Ｂを設けることにより、ボディマウント２０の回動環２３との干渉を回避することが可能となる。
【００５７】
以下、本変形例のボディマウント２０およびアダプタ３Ｂの詳細について説明する。
【００５８】
図１２は、図１１に示したボディマウント２０を、外装部材１４から取り出して、右斜め上方から見た構成を表したものである。本変形例の撮像装置１は、ボディマウント２０の内側の光学部品１３の周囲の領域に、第１ボディ接点４１と第２ボディ接点４２とが設けられていることにおいて、上記実施の形態と異なるものである。このことを除いては、本変形例の撮像装置１は上記実施の形態と同様の構成、作用および効果を有している。よって、対応する構成要素には同一の符号を付して説明する。
【００５９】
第１ボディ接点４１は、上記実施の形態のボディ接点４１と同様に構成されている。すなわち、第１ボディ接点４１は、レンズ２（図１参照。）とボディ１０との電気的な接続および通信を行うものである。第１ボディ接点４１は、例えば、ボディ１０からボディ１０に取り付けられるレンズ２へ電源供給を行う接点と、ボディ１０からレンズ２へレンズ２を駆動するための駆動信号を供給する接点とを少なくとも含む接点の集合である。
【００６０】
第１ボディ接点４１は、ボディマウント２０を前方正面から見て、光軸Ａを中心とする周方向において例えば左方に配置されている。換言すれば、第１ボディ接点４１は、光学部品１３の左側の短辺に沿って円弧状に配置されている。第１ボディ接点４１は、第１ボディ接点支持部材４１Ａにより支持されている。第１ボディ接点支持部材４１Ａは、ねじ４１Ｂ，４１Ｃにより、シャーシ部材１６に固定され、支持されている。
【００６１】
第２ボディ接点４２は、レンズ２Ｂ（図１１参照。）とボディ１０との電気的な接続および通信を行うものである。第２ボディ接点４２は、例えば、ボディ１０からボディ１０に取り付けられるレンズ２Ｂへ電源供給を行う接点と、ボディ１０からレンズ２Ｂへレンズ２Ｂを駆動するための駆動信号を供給する接点とを少なくとも含む接点の集合である。
【００６２】
第２ボディ接点４２は、ボディマウント２０を前方正面から見て、光軸Ａを中心とする周方向において例えば下方に配置されている。換言すれば、第２ボディ接点４２は、光学部品１３の下側の長辺に沿って円弧状に配置されている。第２ボディ接点４２は、第２ボディ接点支持部材４２Ａにより支持されている。第２ボディ接点支持部材４２Ａは、ねじ４２Ｂ，４２Ｃにより、シャーシ部材１６に固定され、支持されている。
【００６３】
このようにボディ１０側に第１ボディ接点４１および第２ボディ接点４２を設けることにより、アダプタ３Ｂに接点や配線などを設けなくてもよくなる。よって、アダプタ３Ｂを薄型化しながらレンズ２Ｂとボディ１０との電気的な接続および通信を行うことが可能となる。特に、後述するように、ボディ１０に固有のフランジバックよりも短いフランジバックをもつアダプタ３Ｂやレンズ２Ｂをボディ１０に装着したい場合に好適である。
【００６４】
第２ボディ接点４２は、光軸Ａに対して径方向において第１ボディ接点４１よりも内周側に位置することが好ましい。これにより、後述するように、第１基準面Ｐ１にアダプタ３Ｂが装着された状態で、第２ボディ接点４２をアダプタ３Ｂの内周側に設けられた後述する開口３３Ａから露出させ、第２ボディ接点４２とレンズ２Ｂとを容易に接続することが可能となる。また、第１ボディ接点４１をアダプタ３Ｂに隠された状態とすることにより、視覚的にレンズ２を装着可能な状態ではないことを容易に認識できるようになり、レンズ装着を間違えにくくすることが可能となる。
【００６５】
また、第１ボディ接点４１および第２ボディ接点４２は、光軸Ａを中心とする周方向において異なる位置に配置されていることが好ましい。これにより、第１ボディ接点支持部材４１Ａおよび第２ボディ接点支持部材４２Ａの構成を簡素化することが可能となる。なお、第１ボディ接点４１および第２ボディ接点４２は、光軸Ａを中心とする周方向において同じ位置、またはほぼ同じ位置に配置されていることも可能である。第１ボディ接点４１および第２ボディ接点４２の配置の変形例については後述する。
【００６６】
図１３の（Ａ）は、本変形例に係るアダプタ３Ｂを前方正面から見た構成を表したものである。図１３の（Ｂ）は、図１３の（Ａ）のＸＩＩＩＢ−ＸＩＩＩＢ線における断面構成を表したものである。
【００６７】
アダプタ３Ｂは、撮像装置１のボディマウント２０を、ミラーレスカメラ用のレンズを装着可能なマウントに変換するものである。具体的には、アダプタ３０は、例えば、外周部３２と、内周部３３と、中間部３４とを有している。アダプタ３Ｂの内周側には円形の開口３３Ａが設けられている。アダプタ３０の口径は、ボディマウント２０の口径よりも小さい。
【００６８】
外周部３２は、ボディマウント２０の第１基準面Ｐ１に装着される部分であり、装着面３１を有している。装着面３１は、ボディマウント２０の第１基準面Ｐ１に装着された状態で第１基準面Ｐ１に接する面である。外周部３２は、周方向の３箇所に、ボディマウント２０への装着のための外爪３２Ａを有している。
【００６９】
内周部３３は、外周部３２の内側に同心円状に設けられると共に第２基準面Ｐ２を有している。第２基準面Ｐ２は、光軸方向Ｚにおいて装着面３１よりもボディ１０側に位置することが好ましい。このようにすることにより、ボディマウント２０に、アダプタ３０を介して、ボディ１０に固有のフランジバックよりも短いフランジバックを有するレンズ２Ｂを装着することが可能となる。
【００７０】
中間部３４は、外周部３２と内周部３３とを光軸方向Ｚにおいて連結する部分である。中間部３４は、ボディ１０とレンズ２Ｂとのフランジバックの差に応じて適宜の段差を有していていもよい。その場合、中間部３４は、外周部３２と内周部３３とをつなぐ傾斜面３４Ａを有していることが好ましい。傾斜面３４Ａを有することにより、多様な形状のレンズに対応することが可能となる。加えて、傾斜面３４Ａを設けることにより、後述するレンズ離脱釦３５Ｃの周囲に余裕空間が生まれ、ユーザがレンズ離脱釦３５Ｃを押しやすくなる。
【００７１】
図１４は、図１３に示したアダプタ３Ｂを背面から見た構成を表したものである。アダプタ３Ｂは、レンズ２Ｂの装着方法としてバヨネット方式を採用しており、例えば、内爪３５Ａと、バヨネット機構３５Ｂと、レンズ離脱釦３５Ｃとを有している。
【００７２】
内爪３５Ａは、レンズ２Ｂを第２基準面Ｐ２に装着するためのものである。内爪３５Ａは、例えば図１３の（Ａ）に示したように、内周部３３の開口３３Ａの周方向の３箇所に設けられている。
【００７３】
バヨネット機構３５Ｂは、図１４に示したように、内爪３５Ａの裏側に設けられたばね機構であり、レンズ２Ｂを第２基準面Ｐ２に押し付け、レンズ２Ｂの光軸方向Ｚにおける変位や位置ずれを抑えるようになっている。
【００７４】
レンズ離脱釦３５Ｃは、図１３の（Ａ）に示したように、レンズ２Ｂをアダプタ３Ｂから取り外すための押し釦である。レンズ離脱釦３５Ｃは、外周部３２および中間部３４の左斜め下方に設けられている。
【００７５】
また、レンズ離脱釦３５Ｃは、図１３の（Ｂ）に示したように、光軸方向Ｚにおいて外周部３２の前面３２Ａよりもレンズ２Ｂ側へ突出していることが好ましい。このようにすることにより、ユーザがレンズ離脱釦３５Ｃを指の爪の先ではなく指の腹で容易に押すことが可能となり、使いやすさが向上する。
【００７６】
図１５は、このようなアダプタ３Ｂを図１２に示したボディマウント２０に装着した状態を、ボディマウント２０の前方正面から見た構成を表したものである。
【００７７】
第１基準面Ｐ１にアダプタ３Ｂが装着された状態では、第１ボディ接点４１はアダプタ３Ｂに隠されており、第２ボディ接点４２はアダプタ３Ｂの内周側の開口３３Ａから露出していることが好ましい。これにより、後述するように、アダプタ３Ｂの開口３３Ａから露出した第２ボディ接点４２とレンズ２Ｂとを容易に接続することが可能となる。また、第１ボディ接点４１をアダプタ３Ｂに隠された状態とすることにより、視覚的にレンズ２を装着可能な状態ではないことを容易に認識できるようになり、レンズ装着を間違えにくくすることが可能となる。
【００７８】
アダプタ３Ｂのレンズ離脱釦３５Ｃは、締結位置ＰＴ２３における切欠き部分２３Ｂの範囲ＲＬ内に設けられていることが好ましい。これにより、ユーザがレンズ離脱釦３５Ｃを容易に押すことが可能となり、利便性が向上する。
【００７９】
また、アダプタ３Ｂのレンズ離脱釦３５Ｃは、ボディマウント２０を前方正面から見て、光軸Ａを中心とする周方向において斜め下方、例えば左斜め下方または右斜め下方にあることが好ましい。レンズ離脱釦３５Ｃを光軸Ａを中心とする周方向において下方に配置する場合には、レンズ２Ｂの下方に付属する突出部品との干渉によりレンズ離脱釦３５Ｃを操作しにくくなるおそれがある。また、レンズ離脱釦３５Ｃは、メインのカメラマンを補助するアシスタントカメラマンが撮像装置１の脇に立って操作する場合が多い。従って、レンズ離脱釦３５Ｃを左斜め下方または右斜め下方に配置することにより、アシスタントカメラマンがレンズ離脱釦３５Ｃを操作しやすくなる。よって、作業効率が良くなる。なお、図１５では、右斜め下方に操作ダイヤル１５を配置し、左斜め下方にレンズ離脱釦３５Ｃを配置している場合を表しているが、操作ダイヤル１５とレンズ離脱釦３５Ｃは両方とも左斜め下方、または両方とも右斜め下方に配置されていてもよい。
【００８０】
この撮像システム１００では、例えば次のようにしてアダプタ３Ｂおよびレンズ２Ｂの撮像装置１への取り付けを行うことができる。
【００８１】
まず、回動環２３を図５に示した初期位置ＰＩ２３として（ロック解除状態）、アダプタ３Ｂの外周部３２の外爪３２Ａを、ボディマウント２０の保持環２２の爪２２Ａの間に嵌め込む。次いで、回動環２３を締める方向に回動させて、図６に示した締結位置ＰＴ２３とする（ロック状態）。これにより、ボディマウント２０の爪２２Ａと第１基準面Ｐ１との間にアダプタ３Ｂの外爪３２Ａを挟み込み、アダプタ３Ｂをボディマウント２０の第１基準面Ｐ１に装着して固定する。
【００８２】
そののち、レンズ２Ｂの後端部の爪（図示せず）をアダプタ３Ｂの内周部３３の内爪３５Ａの間に嵌め込み、レンズ２Ｂを回転させる。これにより、アダプタ３の内爪５２と第２基準面Ｐ２との間にレンズ２の後端部の爪を挟み込み、レンズ２Ｂをアダプタ３Ｂの第２基準面Ｐ２に装着して固定する。
【００８３】
ここでは、ボディマウント２０の回動環２３の周方向の一部に切欠き部分２３Ｂが設けられているので、レンズ２Ｂの突出部品、例えば電動ズーム機構６２とボディマウント２０の回動環２３との干渉が回避される。
【００８４】
このように本変形例では、上記実施の形態と同様に、ボディマウント２０の回動環２３の周方向の一部に切欠き部分２３Ｂを設けるようにしている。よって、レンズ２Ｂの突出部品、例えば電動ズーム機構６２とボディマウント２０の回動環２３との干渉を回避することが可能となる。
【００８５】
また、本変形例のアダプタ３Ｂでは、第２基準面Ｐ２が、光軸方向Ｚにおいて装着面３１よりもボディ１０側に位置するようにしている。よって、ミラーレスカメラ用のレンズ２Ｂのような、ボディ１０に固有のフランジバックよりも短いフランジバックをもつレンズ２Ｂであっても、アダプタ３Ｂを介してボディ１０に装着することが可能となる。更に、そのようなレンズ２Ｂに電動ズーム機構６２や三脚固定部材などの突出部品が付加されている場合にも、レンズ２Ｂの突出部品とボディマウント２０の回動環２３との干渉を回避しながらアダプタ３Ｂを介してボディ１０に装着することが可能となる。よって、映像業界で使用されてきたレンズ２のユーザが、写真業界で使用されてきたレンズ２Ｂを気軽に使用可能となる。従って、シネマ撮影用、放送用、コンシューマ向け静止画撮影用などの垣根を低くし、ユーザが新しい体験機会を手に入れて映像表現の可能性を拡大することが可能となる。
【００８６】
（変形例３）
図１６の（Ａ）は、変形例３におけるアダプタ３Ｂを前方正面から見た構成を表したものである。図１６の（Ｂ）は、図１６の（Ａ）のＸＶＩＢ−ＸＶＩＢ線における断面構成を表したものである。図１７は、図１６に示したアダプタ３Ｂを背面から見た構成を表したものである。本変形例のアダプタ３Ｂは、レンズ２Ｂの装着方法としてスピゴット方式を採用していることにおいて、上記変形例２のアダプタ３Ｂとは異なるものである。よって、対応する構成要素については同一の符号を付して説明する。
【００８７】
アダプタ３Ｂは、撮像装置１のボディマウント２０を、ミラーレスカメラ用のレンズを装着可能なマウントに変換すると共に、レンズ２Ｂをボディマウント２０にスピゴット方式により固定するものである。アダプタ３Ｂは、例えば図１６の（Ａ）および図１６の（Ｂ）に示したように、外周部３２と、内周部３３と、中間部３４と、締結部３６と、スピゴット機構３７とを有している。アダプタ３Ｂの内周側には円形の開口３３Ａが設けられている。アダプタ３Ｂの口径は、ボディマウント２０の口径よりも小さい。
【００８８】
外周部３２は、ボディマウント２０の第１基準面Ｐ１に装着される部分であり、装着面３１を有している。装着面３１は、ボディマウント２０の第１基準面Ｐ１に装着された状態で第１基準面Ｐ１に接する面である。外周部３２は、周方向の３箇所に、ボディマウント２０への装着のための外爪３２Ａを有している。
【００８９】
締結部３６は、光軸Ａの周りで回動することによりレンズ２Ｂとアダプタ３Ｂとを締結・固定または取り外すものである。締結部３６は、外周部３２の光軸方向Ｚにおいて前方に、ねじ３６Ａにより固定されている。締結部３６には、着脱レバー３６Ｂが設けられている。着脱レバー３６Ｂは、図１６の（Ａ）に示したように、レンズ２Ｂをアダプタ３Ｂに締結し、またはレンズ２Ｂをアダプタ３Ｂから取り外すための操作レバーである。着脱レバー３６Ｂは、締結部３５の左斜め上方に設けられている。また、締結部３６は、内周部３３との境界に傾斜面３６Ｃを有していることが好ましい。傾斜面３６Ｃを有することにより、多様な形状のレンズに対応することが可能となる。加えて、傾斜面３６Ｃが設けられていることで、着脱レバー３６Ｂの周囲に余裕空間が生まれ、ユーザが着脱レバー３６Ｂを操作しやすくなる。
【００９０】
内周部３３は、外周部３２の内側に同心円状に設けられると共に第２基準面Ｐ２を有している。第２基準面Ｐ２は、光軸方向Ｚにおいて装着面３１よりもボディ１０側に位置することが好ましい。このようにすることにより、ボディマウント２０に、アダプタ３Ｂを介して、ボディ１０に固有のフランジバックよりも短いフランジバックを有するレンズ２Ｂを装着することが可能となる。
【００９１】
スピゴット機構３７は、内周部３３の光軸方向Ｚにおける後方に設けられ、周方向の３箇所に内爪３７Ａを有している。スピゴット機構３７は、連結部３７Ｂにより締結部３６に固定され、締結部３６の回動に伴って光軸Ａの周りに回動可能となっている。連結部３７Ｂは、外周部３２の周方向の一部に切られたガイド溝３２Ｂ内に設けられている。従って、連結部３７Ｂおよび締結部３６の可動範囲は、ガイド溝３２Ｂによって規定されるようになっている。
【００９２】
中間部３４は、締結部３６および外周部３２と内周部３３とを光軸方向Ｚにおいて連結する部分である。中間部３４は、変形例２と同様に、段差および傾斜面３４Ａを有していてもよい。
【００９３】
図１８および図１９は、このようなアダプタ３０を図１２に示したボディマウント２０に装着した状態を、ボディマウント２０の前方正面から見た構成を表したものである。図１８は着脱レバー３６Ｂが初期位置ＰＩ３６Ｂにある状態、図１９は着脱レバー３６Ｂが締結位置ＰＴ３６Ｂにある場合をそれぞれ表している。
【００９４】
変形例２と同様に、第１基準面Ｐ１にアダプタ３０が装着された状態では、第１ボディ接点４１はアダプタ３Ｂに隠されており、第２ボディ接点４２はアダプタ３Ｂの内周側の開口３３Ａから露出していることが好ましい。これにより、アダプタ３Ｂの開口３３Ａから露出した第２ボディ接点４２とレンズ２Ｂとを容易に接続することが可能となる。また、第１ボディ接点４１をアダプタ３０に隠された状態とすることにより、視覚的にレンズ２を装着可能な状態ではないことを容易に認識できるようになり、レンズ装着を間違えにくくすることが可能となる。
【００９５】
アダプタ３０の着脱レバー３６Ｂの可動範囲Ｒ３６Ｂは、回動環２３の切欠き部分２３Ｂ以外の立ち壁部分２３Ｃの範囲内に設けられていることが好ましい。これにより、着脱レバー３６Ｂの操作を、レンズ２Ｂから下方に突出する突出部品との干渉なく行うことが可能となる
【００９６】
また、アダプタ３０の着脱レバー３６Ｂの可動範囲Ｒ３６Ｂは、ボディマウント２０を前方正面から見て、光軸Ａを中心とする周方向において斜め上方、例えば左斜め上方または右斜め上方にあることが好ましい。着脱レバー３６Ｂが光軸Ａを中心とする周方向において上方にある場合には、ユーザは、着脱レバー３６を時計回りと反時計回りのどちらに回せば締結されるのか迷いやすくなる。一方、着脱レバー３６Ｂが斜め上方に位置している場合には、ユーザは着脱レバー３６Ｂを下ろせば締結されることを視覚的・直感的に把握しやすくなる。また、着脱レバー３６Ｂは、メインのカメラマンを補助するアシスタントカメラマンが撮像装置１の脇に立って操作する場合が多い。従って、着脱レバー３６Ｂを斜め上方に配置することにより、アシスタントカメラマンが着脱レバー３６Ｂを操作しやすくなる。よって、作業効率が良くなる。
【００９７】
具体的には、図１８に示した着脱レバー３６Ｂの初期位置ＰＩ３６Ｂは、ボディマウント２０を前方正面から見て光軸Ａを中心とする周方向において左斜め上方にあり、図１９に示した着脱レバー３６Ｂの締結位置ＰＴ３６Ｂは、初期位置ＰＩ３６Ｂから反時計回りＣＣＷに回動した位置にあることが好ましい。なお、締結部３６の締結のための回動方向によっては、着脱レバー３６Ｂの初期位置ＰＩ３６Ｂを右斜め上方とし、着脱レバー３６Ｂの締結位置ＰＴ３６Ｂを、初期位置ＰＩ３６Ｂから時計回りに回動した位置とすることも可能である。
【００９８】
この撮像システム１００では、例えば次のようにしてアダプタ３Ｂおよびレンズ２Ｂの撮像装置１への取り付けを行うことができる。
【００９９】
まず、変形例２と同様にして、アダプタ３Ｂをボディマウント２０の第１基準面Ｐ１に装着して固定する。
【０１００】
そののち、レンズ２Ｂの後端部の爪（図示せず）をアダプタ３Ｂのスピゴット機構３７の内爪３７Ａの間に嵌め込み、着脱レバー３６Ｂを図１８に示した初期位置ＰＩ３６Ｂから図１９に示した締結位置ＰＴ３６Ｂに移動させる。これにより、レンズ２Ｂをアダプタ３Ｂの第２基準面Ｐ２に装着して固定する。
【０１０１】
このとき、ボディマウント２０において回動環２３を締める回動方向と、アダプタ３Ｂにおいて締結部３６を回動させて第２基準面Ｐ２からレンズ２Ｂを離脱させる回動方向とが、光軸Ａを中心にして逆回りであることが好ましい。このようにすることにより、ユーザがボディマウント２０の回動環２３を緩める方向に回すと、その回転方向はレンズ２Ｂにとっては逆に締結を強める方向となる。よって、ユーザがアダプタ３０からレンズ２Ｂを外そうとして、間違えて着脱レバー３６Ｂでなくボディマウント２０の回動環２３を時計回りＣＷに回しても、何も外れない。一方、ユーザがアダプタ３０にレンズ２Ｂを締結しようとして、間違えて着脱レバー３６Ｂでなくボディマウント２０の回動環２３を反時計回りＣＣＷに回しても、何も外れない。このようにアダプタ３０やレンズ２Ｂがボディマウント２０から意図せず離脱することが回避され、レンズ装着の安定性、安全性を向上させることが可能となる。
【０１０２】
このように本変形例では、上記実施の形態および変形例２の効果に加えて、アダプタ３Ｂとレンズ２Ｂとの締結方法にスピゴット方式を採用するようにしたので、レンズ２Ｂをアダプタ３Ｂに更に堅牢に締結することが可能となる。また、ボディマウント２０もスピゴット方式を採用しているので、アダプタ３０を使用することにより生じうるガタつきを減らすことが可能となる。
【０１０３】
（変形例４〜７）
なお、上記変形例２，３では、ボディマウント２０を前方正面から見て、第１ボディ接点４１は光軸Ａを中心とする周方向において左方、第２ボディ接点４２は光軸Ａを中心とする周方向において下方に設けられている場合について説明した。しかしながら、第１ボディ接点４１および第２ボディ接点４２の配置は、上記変形例２，３の例に限られず、以下の変形例４〜７のように様々に変更可能である。なお、第１ボディ接点４１および第２ボディ接点４２の配置の変形例は、以下の変形例４〜７に限られないことはいうまでもない。
【０１０４】
（変形例４）
例えば、図２０に示したように、ボディマウント２０を前方正面から見て、第１ボディ接点４１が光軸Ａを中心とする周方向において上方および右方、第２ボディ接点４２が光軸Ａを中心とする周方向において上方に配置されていることも可能である。
【０１０５】
（変形例５）
また、例えば図２１に示したように、ボディマウント２０を前方正面から見て、第１ボディ接点４１が光軸Ａを中心とする周方向において上方および右方、第２ボディ接点４２が光軸Ａを中心とする周方向において左方に配置されていることも可能である。
【０１０６】
（変形例６）
更に、例えば図２２に示したように、ボディマウント２０を前方正面から見て、第１ボディ接点４１が光軸Ａを中心とする周方向において上方および右方、第２ボディ接点４２が光軸Ａを中心とする周方向において左斜め下方に配置されていることも可能である。
【０１０７】
（変形例７）
加えて、例えば図２３に示したように、ボディマウント２０を前方正面から見て、第１ボディ接点４１が光軸Ａを中心とする周方向において左方、第２ボディ接点４２が光軸Ａを中心とする周方向において上方に配置されていることも可能である。
【０１０８】
以上、実施の形態を挙げて本開示を説明したが、本開示は上記実施の形態に限定されるものではなく、種々の変形が可能である。
【０１０９】
例えば、上記実施の形態では、回動環２３が締結位置ＰＴ２３にある場合に、切欠き部分２３Ｂおよび操作ダイヤル１５が、ボディマウント２０の側面側からフランジバック調整つまみ５５にアクセス可能な隙間Ｇを形成する場合について説明した。しかしながら、操作ダイヤル１５に限らず、ボディ１０の前方正面から見てボディマウント２０の外周側の領域に設けられた他の操作部についても同様であることが好ましい。すなわち、回動環２３が締結位置ＰＴ２３にある場合に、切欠き部分２３Ｂおよび他の操作部が、ボディマウント２０の側面側から突出部品にアクセス可能な隙間Ｇを形成するようにしてもよい。
【０１１０】
また、本開示に係る撮像装置１は、上記実施の形態で説明したシネマ撮影用カメラに限らず、スピゴット式のボディマウントを有する一眼レフカメラなどの他のカメラでもよい。
【０１１１】
更に、例えば、上記実施の形態において説明した各構成要素の形状、寸法および材料などは限定されるものではなく、他の形状、寸法および材料としてもよい。
【０１１２】
加えて、例えば、上記実施の形態では、撮像システム１００、撮像装置１、レンズ２、アダプタ３などの構成を具体的に挙げて説明したが、全ての構成要素を備える必要はなく、また、他の構成要素を更に備えていてもよい。
【０１１３】
なお、本明細書に記載された効果はあくまで例示であって限定されるものではなく、また他の効果があってもよい。
【０１１４】
本技術は以下のような構成を取ることも可能である。
（１）
ボディと、前記ボディに設けられたスピゴット式のボディマウントとを有し、
前記ボディマウントは、
固定環と、
前記固定環に対して光軸の周りに回動可能であると共に、周方向の一部に切欠き部分を有する回動環と
を備えた撮像装置。
（２）
前記回動環は、初期位置と締結位置との間で回動可能であると共に、前記初期位置における前記切欠き部分の範囲と前記締結位置における前記切欠き部分の範囲とが重複する開放領域を有する
前記（１）記載の撮像装置。
（３）
前記開放領域は、前記回動環の前記光軸よりも下側の領域内に設けられている
前記（２）記載の撮像装置。
（４）
前記切欠き部分の前記光軸を中心とする中心角は、１８０°以下である
前記（１）ないし（３）のいずれかに記載の撮像装置。
（５）
前記ボディマウントは、対象物を前記固定環との間に挟み込む爪を有する保持環を更に備え、
前記回動環は、前記保持環と一緒に回動可能であり、
前記切欠き部分の光軸方向における高さは、前記保持環の光軸方向における高さと同じまたはほぼ同じである
前記（１）ないし（４）のいずれかに記載の撮像装置。
（６）
前記ボディは、前記ボディマウントの内周側にボディ接点を有し、
前記回動環は、初期位置と締結位置との間で回動可能であり、
前記初期位置における前記切欠き部分の範囲と、前記ボディ接点の少なくとも一部とは、前記光軸に対する回転方向の位置が異なる
前記（１）ないし（５）のいずれかに記載の撮像装置。
（７）
前記ボディは、前記ボディマウントの内周側にボディ接点を有し、
前記回動環は、初期位置と締結位置との間で回動可能であり、
前記締結位置における前記切欠き部分の範囲と、前記ボディ接点の少なくとも一部とは、前記光軸に対する回転方向の位置が異なる
前記（１）ないし（６）のいずれかに記載の撮像装置。
（８）
撮像装置と、前記撮像装置に着脱可能なレンズとを有し、
前記撮像装置は、ボディと、前記ボディに設けられたスピゴット式のボディマウントとを有し、
前記ボディマウントは、
固定環と、
前記固定環に対して光軸の周りに回動可能であると共に、周方向の一部に切欠き部分を有する回動環と
を備えた撮像システム。
（９）
前記回動環は、初期位置と締結位置との間で回動可能であると共に、前記初期位置における前記切欠き部分の範囲と前記締結位置における前記切欠き部分の範囲とが重複する開放領域を有する
前記（８）記載の撮像システム。
（１０）
前記レンズは、レンズ本体と、前記レンズ本体から前記光軸に対して径方向の外側に突出する突出部品を有し、
前記突出部品は、前記光軸を中心とする周方向において前記開放領域に対応する領域内に設けられている
前記（９）記載の撮像システム。
（１１）
前記撮像装置と前記レンズとを結合するアダプタを更に備え、
前記アダプタは、アダプタ本体と、前記アダプタ本体から光軸に対して径方向の外側に突出する突出部品を有し、
前記突出部品は、前記光軸を中心とする周方向において前記開放領域に対応する領域内に設けられている
前記（９）または（１０）記載の撮像システム。
（１２）
前記ボディは、前方正面から見て前記ボディマウントの外周側の領域に操作部を有し、
前記回動環は、前記切欠き部分以外の立ち壁部分を有し、
前記回動環が前記締結位置にある場合に、前記切欠き部分および前記操作部は、前記ボディマウントの側面側から前記突出部品にアクセス可能な間隙を形成する
前記（１１）記載の撮像システム。
（１３）
前記固定環は、第１基準面を有し、
前記アダプタは、前記固定環の前記第１基準面に装着される装着面と、前記レンズが装着される第２基準面とを有し、前記第２基準面は、光軸方向において前記装着面よりも前記ボディ側に位置する
前記（１１）または（１２）記載の撮像システム。
【符号の説明】
【０１１５】
１００…撮像システム、１…撮像装置、２，２Ｂ…レンズ、３，３Ａ，３Ｂ…アダプタ、１０…ボディ、１３…光学部品、１４…外装部材、１５…操作ダイヤル、１６…シャーシ部材、１７…光学部品支持部材、２０…ボディマウント、２１…固定環、２２…保持環、２２Ａ…爪、２３…回動環、３１…装着面、３２…外周部、３３…内周部、３４…中間部、３４Ａ…傾斜面、３５Ａ…内爪、３５Ｂ…バヨネット機構、３５Ｃ…第２レンズ離脱釦、３６…締結部、３６Ｂ…着脱レバー、３７…スピゴット機構、３７Ａ…内爪、３７Ｂ…連結部、４１…第１ボディ接点、４１Ａ…第１ボディ接点支持部材、４２…第２ボディ接点、４２Ａ…第２ボディ接点支持部材、Ａ…光軸、Ｐ１…第１基準面、Ｐ２…第２基準面。
【図１】
2015141382.tif 000003
【図２】
2015141382.tif 000004
【図３】
2015141382.tif 000005
【図４】
2015141382.tif 000006
【図５】
2015141382.tif 000007
【図６】
2015141382.tif 000008
【図７】
2015141382.tif 000009
【図８】
2015141382.tif 000010
【図９】
2015141382.tif 000011
【図１０】
2015141382.tif 000012
【図１１】
2015141382.tif 000013
【図１２】
2015141382.tif 000014
【図１３】
2015141382.tif 000015
【図１４】
2015141382.tif 000016
【図１５】
2015141382.tif 000017
【図１６】
2015141382.tif 000018
【図１７】
2015141382.tif 000019
【図１８】
2015141382.tif 000020
【図１９】
2015141382.tif 000021
【図２０】
2015141382.tif 000022
【図２１】
2015141382.tif 000023
【図２２】
2015141382.tif 000024
【図２３】
2015141382.tif 000025